(57)【要約】      （修正有）【課題】外周面が外側に湾曲突出した該湾曲突出部の外径よりも小さい口径からなる底部に設けた開口部から鏡餅を容易に取り出すことが出来る鏡餅容器を提供する。【解決手段】外周面が外側に湾曲突出し、底部１ａに湾曲突出部１ｂの外径よりも小さい口径からなる開口部１ｃを有し、その開口部１ｃから鏡餅２を出し入れし得る鏡餅容器１であって、該鏡餅容器１は、ポリオレフィン樹脂と熱可塑性エラストマーとを混練した材質からなり伸縮自在に構成され、開口部１ｃの口径を伸ばしてその開口部１ｃから鏡餅２を取り出し得る構成としたことを特徴とする。【選択図】図３
0003149319.tif 000002
【実用新案登録請求の範囲】
【請求項１】
外周面が外側に湾曲突出し、底部に前記湾曲突出部の外径よりも小さい口径からなる開口部を有し、その開口部から鏡餅を出し入れし得る鏡餅容器であって、
前記鏡餅容器は、ポリオレフィン樹脂と熱可塑性エラストマーとを混練した材質からなり伸縮自在に構成され、前記開口部の口径を伸ばしてその開口部から鏡餅を出し得ることを特徴とする鏡餅容器。
【請求項２】
前記開口部の周囲に摘み部が設けられ、該摘み部に指を掛けつつ前記鏡餅容器の天部を前記開口部側に押し出すことにより該開口部から鏡餅を出し得ることを特徴とする請求項１に記載の鏡餅容器。
【請求項３】
前記開口部の周囲に設けられた摘み部に指を掛け得る指掛け部が設けられ、前記指掛け部に指を掛けつつ前記鏡餅容器の天部を前記開口部側に押し出すことにより該開口部から鏡餅を出し得ることを特徴とする請求項２に記載の鏡餅容器。
【請求項４】
前記開口部の周囲に摘み部が設けられ、該摘み部を把持して前記鏡餅容器を鏡餅の表面に沿ってめくることにより該開口部から鏡餅を出し得ることを特徴とする請求項１に記載の鏡餅容器。
【請求項５】
前記開口部の周囲に設けられた摘み部に指を掛け得る指掛け部が設けられ、前記指掛け部に指を掛けつつ前記鏡餅容器を鏡餅の表面に沿ってめくることにより該開口部から鏡餅を出し得ることを特徴とする請求項４に記載の鏡餅容器。
【考案の詳細な説明】
【技術分野】
【０００１】
本考案は、外周面が外側に湾曲突出し、底部に前記湾曲突出部の外径よりも小さい口径からなる開口部を有し、その開口部から鏡餅を出し入れし得る鏡餅容器に関するものである。
【背景技術】
【０００２】
従来、外周面が外側に湾曲突出し、底部に前記湾曲突出部の外径よりも小さい口径からなる開口部を有し、その開口部から鏡餅を出し入れし得る鏡餅容器が提案されている。例えば、特開２００６−２９６３４７号公報（特許文献１）、特開２００７−８０５９号公報（特許文献２）では、内周面が下方の開口部に向かって内径が一定となるストレート内周面若しくは下方の開口部へ向かって内径が広くなる下広がり内周面を設けた肉厚調整部を設けたものが提案されている。
【０００３】
一方、特開２００１−９７３４４号公報（特許文献３）、特開２０００−６２７４７号公報（特許文献４）、特開２０００−２９６８９５号公報（特許文献５）では、樹脂素材とゴム素材とを重合状態となるように押し出し成形して形成した複合シートにより容器を形成し、樹脂素材の表面側に設けられたゴム素材により容器の光沢が鏡餅に酷似し、鏡餅を取り出す際に容器の切断が容易に出来るものも提案されている。
【０００４】
【特許文献１】特開２００６−２９６３４７号公報
【特許文献２】特開２００７−００８０５９号公報
【特許文献３】特開２００１−０９７３４４号公報
【特許文献４】特開２０００−０６２７４７号公報
【特許文献５】特開２０００−２９６８９５号公報
【考案の開示】
【考案が解決しようとする課題】
【０００５】
しかしながら、前述の特許文献１、２の技術では、容器内に内包される鏡餅自体の形状が本来の鏡餅の形状ではなくなり、鏡餅を容器から取り出した際に違和感があるといった問題があった。また、特許文献３〜５の技術では、容器を切断して鏡餅を取り出すことが前提であり、外周面が外側に湾曲突出した該湾曲突出部の外径よりも小さい口径からなる底部に設けた開口部から鏡餅を容易に取り出す技術は開示されていない。
【０００６】
本考案は前記課題を解決するものであり、その目的とするところは、外周面が外側に湾曲突出した該湾曲突出部の外径よりも小さい口径からなる底部に設けた開口部から鏡餅を容易に取り出すことが出来る鏡餅容器を提供せんとするものである。
【課題を解決するための手段】
【０００７】
前記目的を達成するための本考案に係る鏡餅容器の第１の構成は、外周面が外側に湾曲突出し、底部に前記湾曲突出部の外径よりも小さい口径からなる開口部を有し、その開口部から鏡餅を出し入れし得る鏡餅容器であって、前記鏡餅容器は、ポリオレフィン樹脂と熱可塑性エラストマーとを混練した材質からなり伸縮自在に構成され、前記開口部の口径を伸ばしてその開口部から鏡餅を出し得ることを特徴とする。
【０００８】
また、本考案に係る鏡餅容器の第２の構成は、前記第１の構成において、前記開口部の周囲に摘み部が設けられ、該摘み部に指を掛けつつ前記鏡餅容器の天部を前記開口部側に押し出すことにより該開口部から鏡餅を出し得ることを特徴とする。
【０００９】
また、本考案に係る鏡餅容器の第３の構成は、前記第２の構成において、前記開口部の周囲に設けられた摘み部に指を掛け得る指掛け部が設けられ、前記指掛け部に指を掛けつつ前記鏡餅容器の天部を前記開口部側に押し出すことにより該開口部から鏡餅を出し得ることを特徴とする。
【００１０】
また、本考案に係る鏡餅容器の第４の構成は、前記第１の構成において、前記開口部の周囲に摘み部が設けられ、該摘み部を把持して前記鏡餅容器を鏡餅の表面に沿ってめくることにより該開口部から鏡餅を出し得ることを特徴とする。
【００１１】
また、本考案に係る鏡餅容器の第５の構成は、前記第４の構成において、前記開口部の周囲に設けられた摘み部に指を掛け得る指掛け部が設けられ、前記指掛け部に指を掛けつつ前記鏡餅容器を鏡餅の表面に沿ってめくることにより該開口部から鏡餅を出し得ることを特徴とする。
【考案の効果】
【００１２】
本考案に係る鏡餅容器の第１の構成によれば、鏡餅容器がポリオレフィン樹脂と熱可塑性エラストマーとを混練した材質からなり伸縮自在に構成され、開口部の口径を伸ばしてその開口部から鏡餅を容易に取り出すことが出来、外周面が外側に湾曲突出し、底部に設けた開口部の口径が該湾曲突出部の外径よりも小さい口径であっても鏡餅容器内に内包された本来の形状の鏡餅を容易に取り出すことが出来る。
【００１３】
また、本考案に係る鏡餅容器の第２の構成によれば、開口部の周囲に設けられた摘み部に指を掛けつつ鏡餅容器の天部を開口部側に押し出すことにより該開口部から鏡餅容器内に内包された鏡餅を容易に取り出すことが出来る。
【００１４】
また、本考案に係る鏡餅容器の第３の構成によれば、開口部の周囲に設けられた摘み部に設けられた指掛け部に指を掛けつつ鏡餅容器の天部を開口部側に押し出すことにより該開口部から鏡餅容器内に内包された鏡餅を容易に取り出すことが出来る。
【００１５】
また、本考案に係る鏡餅容器の第４の構成によれば、開口部の周囲に設けられた摘み部を把持して鏡餅容器を鏡餅の表面に沿ってめくることにより該開口部から鏡餅容器内に内包された鏡餅を容易に取り出すことが出来る。
【００１６】
また、本考案に係る鏡餅容器の第５の構成によれば、開口部の周囲に設けられた摘み部に設けられた指掛け部に指を掛けつつ鏡餅容器を鏡餅の表面に沿ってめくることにより該開口部から鏡餅容器内に内包された鏡餅を容易に取り出すことが出来る。
【考案を実施するための最良の形態】
【００１７】
図により本考案に係る鏡餅容器の一実施形態を具体的に説明する。図１は本考案に係る鏡餅容器の第１実施形態の構成を示す三面図、図２は第１実施形態の構成において開口部の周囲に設けられた摘み部に設けられた指掛け部に指を掛けつつ鏡餅容器の天部を開口部側に押し出すことにより該開口部から鏡餅容器内に内包された鏡餅を取り出す様子を示す図、図３は第１実施形態の構成において開口部の周囲に設けられた摘み部を把持して鏡餅容器を鏡餅の表面に沿ってめくることにより該開口部から鏡餅容器内に内包された鏡餅を取り出す様子を示す図、図４は図１の第１実施形態の構成において開口部の周囲に設けられた摘み部を除去した第２実施形態の構成を示す三面図である。
【００１８】
図１〜図３において、鏡餅容器１は、外周面が外側に湾曲突出し、底部１ａに湾曲突出部１ｂの外径よりも小さい口径からなる開口部１ｃを有し、その開口部１ｃから鏡餅２を出し入れし得る鏡餅容器１であって、該鏡餅容器１は、ポリオレフィン樹脂と熱可塑性エラストマーとを混練した材質からなり、これにより伸縮自在に構成され、開口部１ｃの口径を伸ばしてその開口部１ｃから鏡餅２を容易に取り出し得るようになっている。
【００１９】
鏡餅容器１の開口部１ｃの周囲には摘み部１ｄが設けられ、図２に示すように、摘み部１ｄに指を掛けつつ鏡餅容器１の天部１ｅを開口部１ｃ側（図２の上側から下側方向）に押し出すことにより該開口部１ｃの口径を伸ばしてその開口部１ｃから鏡餅２を容易に取り出すことが出来る。
【００２０】
本実施形態では開口部１ｃの周囲に設けられた摘み部１ｄに指を掛け得る貫通穴が形成された指掛け部１ｆが設けられ、該指掛け部１ｆに指を掛けつつ鏡餅容器１の天部１ｅを開口部１ｃ側（図２の上側から下側方向）に押し出すことにより該開口部１ｃの口径を伸ばしてその開口部１ｃから鏡餅２を容易に取り出すことが出来る。
【００２１】
尚、本実施形態の指掛け部１ｆは摘み部１ｄに設けた貫通穴により構成した場合の一例であるが、摘み部１ｄの底部１ａ側（図２の下側）に種々の係止片を設け、その係止片に指を掛けつつ鏡餅容器１の天部１ｅを開口部１ｃ側（図２の上側から下側方向）に押し出すことにより該開口部１ｃの口径を伸ばしてその開口部１ｃから鏡餅２を容易に取り出すことも出来る。
【００２２】
尚、図２中、３は鏡餅容器１の底部１ａの開口部１ｃを封止する封止フィルムであり、摘み部３ａを摘んで引っ張ることで封止フィルム３を鏡餅容器１の底部１ａから引き剥がし開口部１ｃを開口することが出来る。
【００２３】
図３は鏡餅容器１を折り返しできる程度に柔らかく形成したものであり、該鏡餅容器１の摘み部１ｄを把持して、或いは指掛け部１ｆに指を掛けつつ鏡餅容器１を鏡餅２の表面に沿ってめくることにより該開口部１ｃから鏡餅２を出すことが出来るものである。
【００２４】
上記のように、鏡餅容器１が樹脂材料とゴム材料とを混練した材質からなり伸縮自在に構成され、開口部１ｃの口径を伸ばしてその開口部１ｃから鏡餅２を容易に取り出すことが出来るため、外周面が外側に湾曲突出し、底部１ａに設けた開口部１ｃの口径が該湾曲突出部１ｂの外径よりも小さい口径であっても鏡餅容器１内に内包された本来の形状の鏡餅２を容易に取り出すことが出来る。
【００２５】
また、鏡餅容器１が、ポリオレフィン樹脂と熱可塑性エラストマーとを混練した材質からなることで、食品衛生上良好で伸縮自在な鏡餅容器１を製造することが出来る。
【００２６】
また、鏡餅容器１の開口部１ｃの周囲に設けられた摘み部１ｄに指を掛けつつ鏡餅容器１の天部１ｅを開口部１ｃ側に押し出すことにより該開口部１ｃから鏡餅容器１内に内包された鏡餅２を容易に取り出すことが出来る。
【００２７】
また、開口部１ｃの周囲に設けられた摘み部１ｄに設けられた指掛け部１ｆに指を掛けつつ鏡餅容器１の天部１ｅを開口部１ｃ側に押し出すことにより該開口部１ｃから鏡餅容器１内に内包された鏡餅２を容易に取り出すことが出来る。
【００２８】
また、開口部１ｃの周囲に設けられた摘み部１ｄを把持して鏡餅容器１を鏡餅２の表面に沿ってめくることにより該開口部１ｃから鏡餅容器１内に内包された鏡餅２を容易に取り出すことが出来る。
【００２９】
また、開口部１ｃの周囲に設けられた摘み部１ｄに設けられた指掛け部１ｆに指を掛けつつ鏡餅容器１を鏡餅２の表面に沿ってめくることにより該開口部１ｃから鏡餅容器１内に内包された鏡餅２を容易に取り出すことが出来る。
【００３０】
なお、本実施形態では摘み部１ｄを指または爪を引っ掛けることが出来る貫通穴で指掛け部１ｆとする構成としたが、かかる構成に限定されることはなく、爪を引っ掛けることが出来る突起状の指掛け部であっても良い。また、摘み部１ｄは単純に摘んで両側に引っ張ることが出来るタブであっても良い。
【００３１】
図４は図１に示して前述した第１実施形態の構成において、鏡餅容器１の開口部１ｃの周囲に設けられた摘み部１ｄを除去した第２実施形態の構成を示すものであり、開口部１ｃの縁部に指を掛けつつ鏡餅容器１の天部１ｅを開口部１ｃ側に押し出すか、或いは鏡餅容器１を鏡餅２の表面に沿ってめくることにより該開口部１ｃから鏡餅容器１内に内包された鏡餅２を容易に取り出すことが出来るものである。他の構成は前記第１実施形態と同様に構成され、同様の効果を得ることができる。
【産業上の利用可能性】
【００３２】
本考案の活用例として、外周面が外側に湾曲突出し、底部に該湾曲突出部の外径よりも小さい口径からなる開口部を有し、その開口部から鏡餅を出し入れし得る鏡餅容器に適用出来る。
【図面の簡単な説明】
【００３３】
【図１】本考案に係る鏡餅容器の構成を示す三面図である。
【図２】開口部の周囲に設けられた摘み部に設けられた指掛け部に指を掛けつつ鏡餅容器の天部を開口部側に押し出すことにより該開口部から鏡餅容器内に内包された鏡餅を取り出す様子を示す図である。
【図３】第１実施形態の構成において開口部の周囲に設けられた摘み部を把持して鏡餅容器を鏡餅の表面に沿ってめくることにより該開口部から鏡餅容器内に内包された鏡餅を取り出す様子を示す図である。
【図４】図１の第１実施形態の構成において開口部の周囲に設けられた摘み部を除去した第２実施形態の構成を示す三面図である。
【符号の説明】
【００３４】
１…鏡餅容器
１ａ…底部
１ｂ…湾曲突出部
１ｃ…開口部
１ｄ…摘み部
１ｅ…天部
１ｆ…指掛け部
２…鏡餅
３…封止フィルム
３ａ…摘み部
【図１】
0003149319.tif 000003
【図２】
0003149319.tif 000004
【図３】
0003149319.tif 000005
【図４】
0003149319.tif 000006
【手続補正書】
【提出日】平成20年10月29日(2008.10.29)
【手続補正１】
【補正対象書類名】実用新案登録請求の範囲
【補正対象項目名】全文
【補正方法】変更
【補正の内容】
【実用新案登録請求の範囲】
【請求項１】
内包される鏡餅の外周表面形状に対応して形成されると共に、底部近傍の外周面が外側に湾曲突出し、該底部に前記湾曲突出部の外径よりも小さい口径からなる開口部を有し、その開口部から鏡餅を出し入れし得る鏡餅容器であって、
前記鏡餅容器は、ポリオレフィン樹脂と熱可塑性エラストマーとを混練した材質からなり伸縮自在に構成され、前記伸縮自在に構成された開口部の口径を伸ばしてその開口部から鏡餅を出し得ることを特徴とする鏡餅容器。
【請求項２】
前記開口部の周囲に摘み部が設けられ、該摘み部に指を掛けつつ前記鏡餅容器の天部を前記開口部側に押し出すことにより該伸縮自在に構成された開口部から鏡餅を出し得ることを特徴とする請求項１に記載の鏡餅容器。
【請求項３】
前記開口部の周囲に設けられた摘み部に指を掛け得る指掛け部が設けられ、前記指掛け部に指を掛けつつ前記鏡餅容器の天部を前記開口部側に押し出すことにより該伸縮自在に構成された開口部から鏡餅を出し得ることを特徴とする請求項２に記載の鏡餅容器。
【請求項４】
前記開口部の周囲に摘み部が設けられ、該摘み部を把持して前記鏡餅容器を鏡餅の表面に沿ってめくることにより該伸縮自在に構成された開口部から鏡餅を出し得ることを特徴とする請求項１に記載の鏡餅容器。
【請求項５】
前記開口部の周囲に設けられた摘み部に指を掛け得る指掛け部が設けられ、前記指掛け部に指を掛けつつ前記鏡餅容器を鏡餅の表面に沿ってめくることにより該伸縮自在に構成された開口部から鏡餅を出し得ることを特徴とする請求項４に記載の鏡餅容器。
【手続補正２】
【補正対象書類名】明細書
【補正対象項目名】全文
【補正方法】変更
【補正の内容】
【考案の詳細な説明】
【技術分野】
【０００１】
本考案は、外周面が外側に湾曲突出し、底部に前記湾曲突出部の外径よりも小さい口径からなる開口部を有し、その開口部から鏡餅を出し入れし得る鏡餅容器に関するものである。
【背景技術】
【０００２】
従来、外周面が外側に湾曲突出し、底部に前記湾曲突出部の外径よりも小さい口径からなる開口部を有し、その開口部から鏡餅を出し入れし得る鏡餅容器が提案されている。例えば、特開２００６−２９６３４７号公報（特許文献１）、特開２００７−８０５９号公報（特許文献２）では、内周面が下方の開口部に向かって内径が一定となるストレート内周面若しくは下方の開口部へ向かって内径が広くなる下広がり内周面を設けた肉厚調整部を設けたものが提案されている。
【０００３】
一方、特開２００１−９７３４４号公報（特許文献３）、特開２０００−６２７４７号公報（特許文献４）、特開２０００−２９６８９５号公報（特許文献５）では、樹脂素材とゴム素材とを重合状態となるように押し出し成形して形成した複合シートにより容器を形成し、樹脂素材の表面側に設けられたゴム素材により容器の光沢が鏡餅に酷似し、鏡餅を取り出す際に容器の切断が容易に出来るものも提案されている。
【０００４】
【特許文献１】特開２００６−２９６３４７号公報
【特許文献２】特開２００７−００８０５９号公報
【特許文献３】特開２００１−０９７３４４号公報
【特許文献４】特開２０００−０６２７４７号公報
【特許文献５】特開２０００−２９６８９５号公報
【考案の開示】
【考案が解決しようとする課題】
【０００５】
しかしながら、前述の特許文献１、２の技術では、容器内に内包される鏡餅自体の形状が本来の鏡餅の形状ではなくなり、鏡餅を容器から取り出した際に違和感があるといった問題があった。また、特許文献３〜５の技術では、容器を切断して鏡餅を取り出すことが前提であり、外周面が外側に湾曲突出した該湾曲突出部の外径よりも小さい口径からなる底部に設けた開口部から鏡餅を容易に取り出す技術は開示されていない。
【０００６】
本考案は前記課題を解決するものであり、その目的とするところは、外周面が外側に湾曲突出した該湾曲突出部の外径よりも小さい口径からなる底部に設けた開口部から鏡餅を容易に取り出すことが出来る鏡餅容器を提供せんとするものである。
【課題を解決するための手段】
【０００７】
前記目的を達成するための本考案に係る鏡餅容器の第１の構成は、内包される鏡餅の外周表面形状に対応して形成されると共に、底部近傍の外周面が外側に湾曲突出し、該底部に前記湾曲突出部の外径よりも小さい口径からなる開口部を有し、その開口部から鏡餅を出し入れし得る鏡餅容器であって、前記鏡餅容器は、ポリオレフィン樹脂と熱可塑性エラストマーとを混練した材質からなり伸縮自在に構成され、前記伸縮自在に構成された開口部の口径を伸ばしてその開口部から鏡餅を出し得ることを特徴とする。
【０００８】
また、本考案に係る鏡餅容器の第２の構成は、前記第１の構成において、前記開口部の周囲に摘み部が設けられ、該摘み部に指を掛けつつ前記鏡餅容器の天部を前記開口部側に押し出すことにより該伸縮自在に構成された開口部から鏡餅を出し得ることを特徴とする。
【０００９】
また、本考案に係る鏡餅容器の第３の構成は、前記第２の構成において、前記開口部の周囲に設けられた摘み部に指を掛け得る指掛け部が設けられ、前記指掛け部に指を掛けつつ前記鏡餅容器の天部を前記開口部側に押し出すことにより該伸縮自在に構成された開口部から鏡餅を出し得ることを特徴とする。
【００１０】
また、本考案に係る鏡餅容器の第４の構成は、前記第１の構成において、前記開口部の周囲に摘み部が設けられ、該摘み部を把持して前記鏡餅容器を鏡餅の表面に沿ってめくることにより該伸縮自在に構成された開口部から鏡餅を出し得ることを特徴とする。
【００１１】
また、本考案に係る鏡餅容器の第５の構成は、前記第４の構成において、前記開口部の周囲に設けられた摘み部に指を掛け得る指掛け部が設けられ、前記指掛け部に指を掛けつつ前記鏡餅容器を鏡餅の表面に沿ってめくることにより該伸縮自在に構成された開口部から鏡餅を出し得ることを特徴とする。
【考案の効果】
【００１２】
本考案に係る鏡餅容器の第１の構成によれば、鏡餅容器がポリオレフィン樹脂と熱可塑性エラストマーとを混練した材質からなり伸縮自在に構成され、伸縮自在に構成された開口部の口径を伸ばしてその開口部から鏡餅を容易に取り出すことが出来、外周面が外側に湾曲突出し、底部に設けた開口部の口径が該湾曲突出部の外径よりも小さい口径であっても鏡餅容器内に内包された本来の形状の鏡餅を容易に取り出すことが出来る。
【００１３】
また、本考案に係る鏡餅容器の第２の構成によれば、開口部の周囲に設けられた摘み部に指を掛けつつ鏡餅容器の天部を開口部側に押し出すことにより該伸縮自在に構成された開口部から鏡餅容器内に内包された鏡餅を容易に取り出すことが出来る。
【００１４】
また、本考案に係る鏡餅容器の第３の構成によれば、開口部の周囲に設けられた摘み部に設けられた指掛け部に指を掛けつつ鏡餅容器の天部を開口部側に押し出すことにより該伸縮自在に構成された開口部から鏡餅容器内に内包された鏡餅を容易に取り出すことが出来る。
【００１５】
また、本考案に係る鏡餅容器の第４の構成によれば、開口部の周囲に設けられた摘み部を把持して鏡餅容器を鏡餅の表面に沿ってめくることにより該伸縮自在に構成された開口部から鏡餅容器内に内包された鏡餅を容易に取り出すことが出来る。
【００１６】
また、本考案に係る鏡餅容器の第５の構成によれば、開口部の周囲に設けられた摘み部に設けられた指掛け部に指を掛けつつ鏡餅容器を鏡餅の表面に沿ってめくることにより該伸縮自在に構成された開口部から鏡餅容器内に内包された鏡餅を容易に取り出すことが出来る。
【考案を実施するための最良の形態】
【００１７】
図により本考案に係る鏡餅容器の一実施形態を具体的に説明する。図１は本考案に係る鏡餅容器の第１実施形態の構成を示す三面図、図２は第１実施形態の構成において開口部の周囲に設けられた摘み部に設けられた指掛け部に指を掛けつつ鏡餅容器の天部を開口部側に押し出すことにより該開口部から鏡餅容器内に内包された鏡餅を取り出す様子を示す図、図３は第１実施形態の構成において開口部の周囲に設けられた摘み部を把持して鏡餅容器を鏡餅の表面に沿ってめくることにより該開口部から鏡餅容器内に内包された鏡餅を取り出す様子を示す図、図４は図１の第１実施形態の構成において開口部の周囲に設けられた摘み部を除去した第２実施形態の構成を示す三面図である。
【００１８】
図１〜図３において、鏡餅容器１は、外周面が外側に湾曲突出し、底部１ａに湾曲突出部１ｂの外径よりも小さい口径からなる開口部１ｃを有し、その開口部１ｃから鏡餅２を出し入れし得る鏡餅容器１であって、該鏡餅容器１は、ポリオレフィン樹脂と熱可塑性エラストマーとを混練した材質からなり、これにより伸縮自在に構成され、開口部１ｃの口径を伸ばしてその開口部１ｃから鏡餅２を容易に取り出し得るようになっている。
【００１９】
鏡餅容器１の開口部１ｃの周囲には摘み部１ｄが設けられ、図２に示すように、摘み部１ｄに指を掛けつつ鏡餅容器１の天部１ｅを開口部１ｃ側（図２の上側から下側方向）に押し出すことにより該開口部１ｃの口径を伸ばしてその開口部１ｃから鏡餅２を容易に取り出すことが出来る。
【００２０】
本実施形態では開口部１ｃの周囲に設けられた摘み部１ｄに指を掛け得る貫通穴が形成された指掛け部１ｆが設けられ、該指掛け部１ｆに指を掛けつつ鏡餅容器１の天部１ｅを開口部１ｃ側（図２の上側から下側方向）に押し出すことにより該開口部１ｃの口径を伸ばしてその開口部１ｃから鏡餅２を容易に取り出すことが出来る。
【００２１】
尚、本実施形態の指掛け部１ｆは摘み部１ｄに設けた貫通穴により構成した場合の一例であるが、摘み部１ｄの底部１ａ側（図２の下側）に種々の係止片を設け、その係止片に指を掛けつつ鏡餅容器１の天部１ｅを開口部１ｃ側（図２の上側から下側方向）に押し出すことにより該開口部１ｃの口径を伸ばしてその開口部１ｃから鏡餅２を容易に取り出すことも出来る。
【００２２】
尚、図２中、３は鏡餅容器１の底部１ａの開口部１ｃを封止する封止フィルムであり、摘み部３ａを摘んで引っ張ることで封止フィルム３を鏡餅容器１の底部１ａから引き剥がし開口部１ｃを開口することが出来る。
【００２３】
図３は鏡餅容器１を折り返しできる程度に柔らかく形成したものであり、該鏡餅容器１の摘み部１ｄを把持して、或いは指掛け部１ｆに指を掛けつつ鏡餅容器１を鏡餅２の表面に沿ってめくることにより該開口部１ｃから鏡餅２を出すことが出来るものである。
【００２４】
上記のように、鏡餅容器１が樹脂材料とゴム材料とを混練した材質からなり伸縮自在に構成され、開口部１ｃの口径を伸ばしてその開口部１ｃから鏡餅２を容易に取り出すことが出来るため、外周面が外側に湾曲突出し、底部１ａに設けた開口部１ｃの口径が該湾曲突出部１ｂの外径よりも小さい口径であっても鏡餅容器１内に内包された本来の形状の鏡餅２を容易に取り出すことが出来る。
【００２５】
また、鏡餅容器１が、ポリオレフィン樹脂と熱可塑性エラストマーとを混練した材質からなることで、食品衛生上良好で伸縮自在な鏡餅容器１を製造することが出来る。
【００２６】
また、鏡餅容器１の開口部１ｃの周囲に設けられた摘み部１ｄに指を掛けつつ鏡餅容器１の天部１ｅを開口部１ｃ側に押し出すことにより該開口部１ｃから鏡餅容器１内に内包された鏡餅２を容易に取り出すことが出来る。
【００２７】
また、開口部１ｃの周囲に設けられた摘み部１ｄに設けられた指掛け部１ｆに指を掛けつつ鏡餅容器１の天部１ｅを開口部１ｃ側に押し出すことにより該開口部１ｃから鏡餅容器１内に内包された鏡餅２を容易に取り出すことが出来る。
【００２８】
また、開口部１ｃの周囲に設けられた摘み部１ｄを把持して鏡餅容器１を鏡餅２の表面に沿ってめくることにより該開口部１ｃから鏡餅容器１内に内包された鏡餅２を容易に取り出すことが出来る。
【００２９】
また、開口部１ｃの周囲に設けられた摘み部１ｄに設けられた指掛け部１ｆに指を掛けつつ鏡餅容器１を鏡餅２の表面に沿ってめくることにより該開口部１ｃから鏡餅容器１内に内包された鏡餅２を容易に取り出すことが出来る。
【００３０】
なお、本実施形態では摘み部１ｄを指または爪を引っ掛けることが出来る貫通穴で指掛け部１ｆとする構成としたが、かかる構成に限定されることはなく、爪を引っ掛けることが出来る突起状の指掛け部であっても良い。また、摘み部１ｄは単純に摘んで両側に引っ張ることが出来るタブであっても良い。
【００３１】
図４は図１に示して前述した第１実施形態の構成において、鏡餅容器１の開口部１ｃの周囲に設けられた摘み部１ｄを除去した第２実施形態の構成を示すものであり、開口部１ｃの縁部に指を掛けつつ鏡餅容器１の天部１ｅを開口部１ｃ側に押し出すか、或いは鏡餅容器１を鏡餅２の表面に沿ってめくることにより該開口部１ｃから鏡餅容器１内に内包された鏡餅２を容易に取り出すことが出来るものである。他の構成は前記第１実施形態と同様に構成され、同様の効果を得ることができる。
【産業上の利用可能性】
【００３２】
本考案の活用例として、外周面が外側に湾曲突出し、底部に該湾曲突出部の外径よりも小さい口径からなる開口部を有し、その開口部から鏡餅を出し入れし得る鏡餅容器に適用出来る。
【図面の簡単な説明】
【００３３】
【図１】本考案に係る鏡餅容器の構成を示す三面図である。
【図２】開口部の周囲に設けられた摘み部に設けられた指掛け部に指を掛けつつ鏡餅容器の天部を開口部側に押し出すことにより該開口部から鏡餅容器内に内包された鏡餅を取り出す様子を示す図である。
【図３】第１実施形態の構成において開口部の周囲に設けられた摘み部を把持して鏡餅容器を鏡餅の表面に沿ってめくることにより該開口部から鏡餅容器内に内包された鏡餅を取り出す様子を示す図である。
【図４】図１の第１実施形態の構成において開口部の周囲に設けられた摘み部を除去した第２実施形態の構成を示す三面図である。
【符号の説明】
【００３４】
１…鏡餅容器
１ａ…底部
１ｂ…湾曲突出部
１ｃ…開口部
１ｄ…摘み部
１ｅ…天部
１ｆ…指掛け部
２…鏡餅
３…封止フィルム
３ａ…摘み部